(57)【要約】【課題】接着材を用いることなく，結合されるとその結合を解除することができない，２つの面部の結合構造およびこの結合構造を持つ折箱を提供する。【解決手段】差込みフラップ40が折箱内に差し込まれたときに重なり合う背面部に，頭部30ａと，上記頭部30ａに連続し，頭部30ａよりも幅狭の首部30ｂを持つ差込み係合片30が形成されている。上記差込みフラップ40の端部の近傍には，上記差込み係合片30がその頭部30ａから差し込まれる切込み41が形成されており，かつ上記切込み41に連続して，上記切込み41よりも差込みフラップ40の端部がわに，上記差込みフラップ40が引き出されるときに上記差込み係合片30の首部30ｂの左右縁部31に係合する一対の被係合縁部43が形成されている。【選択図】図５
2019034742.tif 000002
【特許請求の範囲】
【請求項１】
第１および第２のシート面部を一部が重なる状態で互いに結合させる構造であって，
第１のシート面部の端部に，頭部（30ａ）と，上記頭部（30ａ）に連続し，頭部（30ａ）よりも幅狭の首部（30ｂ）を持つ差込み係合片（30）が形成されており，
第２のシート面部の端部の近傍に，上記差込み係合片（30）がその頭部（30ａ）から差し込まれる切込み（41）が形成されており，かつ上記切込み（41）に連続して，上記切込み（41）よりも第２のシート面部の端部がわに，第１，第２の２つのシート面部が互いに離される向きに動かされたときに上記差込み係合片（30）の首部（30ｂ）の左右縁部（31）が係合する一対の被係合縁部（43）が形成されている，
結合構造。
【請求項２】
上記一対の被係合縁部（43）は，上記第２のシート面部の端部に向かうにしたがって幅狭に形成されている，請求項１に記載の結合構造。
【請求項３】
上記首部（30ｂ）は，上記頭部（30ａ）に向かうにしたがって幅広に形成されている，請求項１または２に記載の結合構造。
【請求項４】
上記第２のシート面部に，上記切込み（41）の一部に沿って上記切込み（41）につながる口（45）があけられており，上記口（45）の両側縁が上記一対の被係合縁部（43）である，
請求項１から３のいずれか一項に記載の結合構造。
【請求項５】
上記首部の左右縁部を結ぶ向きに，上記首部の左右縁部に近い箇所までスリット（32）が入れられている，
請求項１から４のいずれか一項に記載の結合構造。
【請求項６】
上面および下面の少なくともいずれか一方に，開口を閉じるときに箱内に差し込まれる差込みフラップ（40）を備える折箱であって，
上記差込みフラップ（40）が箱内に差し込まれたときに重なり合う面部の端部に，頭部（30ａ）と，上記頭部（30ａ）に連続し，頭部（30ａ）よりも幅狭の首部（30ｂ）を持つ差込み係合片（30）が形成されており，
上記差込みフラップ（40）の端部の近傍に，上記差込み係合片（30）がその頭部（30ａ）から差し込まれる切込み（41）が形成されており，かつ上記切込み（41）に連続して，上記切込み（41）よりも差込みフラップ（40）の端部がわに，上記差込みフラップ（40）が引き出される向きに動かされたときに上記差込み係合片（30）の首部（30ｂ）の左右縁部（31）に係合する一対の被係合縁部（43）が形成されている，
折箱。
【発明の詳細な説明】
【技術分野】
【０００１】
この発明は，２つの面部の結合構造，およびこの結合構造を有する折箱に関する。
【背景技術】
【０００２】
厚紙，ボール紙，プラスチック・シート等をあらかじめ定められた展開図の形に切断し，切断した厚紙等を適宜折曲げるまたは湾曲させることによって，様々な構造体が作られる。たとえば，キャラメル，チョコレート，飴玉等の菓子類を含む食品，クリップ，押しピン等の文房具，ビー玉，おはじき等の玩具，日用品，化粧品，その他の物品または商品を収納するために折箱が用いられる。比較的簡易な折箱には上面，下面に差込み蓋（差込みフラップ）を設けたサック箱の採用が多い。サック箱は差込みフラップを差し込むことで箱の上下面を閉じたものであり，簡単に開封することができる。
【０００３】
サック箱の胴部を裂くことで開封を行い，サック箱の上下面は閉じた状態にとどめておく要望がある。上下面を閉じた状態にとどめるためには典型的には接着剤を用いて差込みフラップが箱に接着される。しかしながら，これには当然に接着材の塗布工程を必要とする。
【０００４】
特許文献１は，嵌込み片を切込み線に差込むことによって，嵌込み片を備える前部側壁版と切込み線を備える差込片とを結合するものを記載する。嵌込み片の端面（係合部）と差込み係合片の端面（抜け止め係合部）とによって係合を図るものであるので（図５（ｂ）），これらの位置関係が少しでもずれると係合が外れてしまう。
【先行技術文献】
【特許文献】
【０００５】
【特許文献１】実用新案登録第３０９２４９７号公報
【発明の概要】
【０００６】
この発明は，接着材を用いることなく，結合されるとその結合を基本的には解除することができない２つの面部の結合構造，およびこの結合構造を持つ折箱を提供することを目的とする。
【０００７】
この発明はさらに，結合が解除された事実，たとえば不正開封が行われた事実を容易に見つけることができるようにすることを目的とする。
【０００８】
この発明による結合構造は，結合すべき２つのシート面部を，それらの一部が重なる状態で互いに結合させる構造である。
【０００９】
この発明による結合構造では第１，第２の２つのシート面部がそれらの端部で結合される。１つのシート面部の両端部を結合してもよい。この場合の２つのシート面部は，１つのシート面部の一端部と他端部（一のシート面部の半体同士）を指す。
【００１０】
第１のシート面部の端部に差込み係合片が形成されている。差込み係合片は，頭部と，上記頭部に連続し，頭部よりも幅狭の首部を持つ。第２のシート面部にはその端部の近傍に上記差込み係合片がその頭部から差し込まれる切込みが形成されている。第２のシート面部にはさらに，上記切込みに連続して，上記切込みよりも第２のシート面部の端部がわに，第１，第２の２つのシート面部が互いに離される向きに動かされたときに上記差込み係合片の首部の左右縁部に係合する一対の被係合縁部が形成されている。
【００１１】
この発明によると，第２のシート面部の切込みに第１のシート面部の差込み係合片が差し込まれ，その後に第１のシート面部から第２のシート面部を離そうとする，または第２のシート面部から第１のシート面部を離そうとすると，第１のシート面部の差込み係合片の首部の左右縁部が第２のシート面部の被係合縁部に係合する。差込み係合片が切込みを再び通って差込み係合片が抜け出てしまう（第１のシート面部と第２のシート面部の結合が外れてしまう）ことがない。２つのシート面部を互いに結合させた状態で保持することができる。第２のシート面部の被係合縁部は，第１のシート面部の差込み係合片の首部の左右縁部に係合するから，第２のシート面部の一対の被係合縁部の幅は第１のシート面部の差込み係合片の頭部よりも狭く首部の幅よりも広い箇所を持つのは言うまでもない。
【００１２】
一実施態様では，上記一対の被係合縁部は，上記第２のシート面部の端部に向かうにしたがって幅狭に形成されている。第１のシート面部と第２のシート面部を互いに離れる向きに動かそうとしたときに，首部の左右縁部を被係合縁部にすぐに係合させることができるので，遊び（第１のシート面部と第２のシート面部を互いに離そうとしたときに動かすことができる距離）をほとんどなくすことができる。
【００１３】
上記首部についても，頭部（第１のシート面部の端部）に向かうにしたがって幅広に形成しておくとよい。これも上述した遊びをなくすことに寄与する。
【００１４】
一実施態様では，上記第２のシート面部に，上記切込みの一部に沿って上記切込みにつながる口（孔）があけられており，上記口の両側縁が上記一対の被係合縁部として用いられる。切込みの一部に沿って上記切込みにつながる口を形成しておくことによって，上記切込みに上記係合片を差込みやすい。
【００１５】
好ましくは，上記首部の左右縁部を結ぶ向きに，上記首部の左右縁部に近い箇所までスリットが入れられている。第１のシート面部と第２のシート面部を無理に引き離したときに上記首部がちぎれるので，第１のシート面部と第２のシート面部の結合構造を再使用できなくすることができる。また，第１のシート面部と第２のシート面部を折箱に用いる場合には折箱が不正に開封された痕跡を残すことができるので，不正に開封されたことを確認することができる。
【００１６】
この発明による折箱は，上面および下面の少なくともいずれか一方に，開口を閉じるときに箱内に差し込まれる差込みフラップを備えるものであって，上記差込みフラップが折箱内に差し込まれたときに重なり合う面部の端部に，頭部と，上記頭部に連続し，頭部よりも幅狭の首部を持つ差込み係合片が形成されており，上記差込みフラップの端部の近傍に，上記差込み係合片がその頭部から差し込まれる切込みが形成されており，かつ上記切込みに連続して，上記切込みよりも差込みフラップの端部がわに，上記差込みフラップが引き出される向きに動かされたときに上記差込み係合片の首部の左右縁部に係合する一対の被係合縁部が形成されているものである。
【００１７】
折箱から差込みフラップを引き出そうとしたときに，差込み係合片の首部の左右縁部が差込みフラップの被係合縁部に係合するので，折箱（差込みフラップと重なる折箱の面部）と差込みフラップの結合が外れてしまうことがない。接着剤を用いずとも，折箱の上面ないし下面を閉じた状態にとどめておくことができる。
【図面の簡単な説明】
【００１８】
【図１】折箱の展開図である。
【図２】折箱の斜視図である。
【図３】折箱の上部の一部拡大図である。
【図４】図３に示す折箱を内側から見たものである。
【図５】図４に示す内側から見た折箱の一部拡大斜視図である。
【図６】円筒体の展開図である。
【図７】円筒体の正面図である。
【実施例】
【００１９】
図１は一実施態様による折箱の展開図である。折箱はボール紙，プラスチック・シート等のシート状素材を図１に示す展開図の形状に切り取ったシート１Ａを折曲げることによって組立てられる。図１に示す展開図において，折箱を組み立てるときに折曲げられる箇所が鎖線で示されている。鎖線で示されている箇所には，必要に応じて，折り目または浅い切込みが入れられる。図２は，図１に示すシート１Ａから組み立てられた折箱１Ｂの全体を背面側から斜視的に示すものである。図３は折箱１Ｂの上端部を背面側からみた拡大図である。図４は図３に示す折箱１Ｂを反対側から見た（折箱１Ｂの内側から見た）ものである。
【００２０】
図１を参照して，長方形の正面部11の長辺である両側端（左右辺）に左側面部13および右側面部14がそれぞれ連設されている。左側面部13および右側面部14の上端，下端には小さいフラップ21がそれぞれ連続している。左側面部13の左端に背面部12が連設され，背面部12の左端にのりしろ部15が連設されている。正面部11の短辺である上端には上面部16が連続し，上面部16の上端にさらに両角が丸められた差込みフラップ40が連続している。正面部11の下端も同様であり，正面部11の下端に下面部17が連続し，下面部17の下端にさらに差込みフラップ40が連続している。
【００２１】
差込みフラップ40のほぼ中央に横向きに切込み41が形成されている。他方，背面部12の上端部および下端部のそれぞれには差込み係合片30が形成されている。詳述は後述するが，差込みフラップ40の切込み41に差込み係合片30が差し込まれることで，差込みフラップ40と差込み係合片30（背面部12）とが結合（連結）される。以下，差込み係合片30が差し込まれる差込みフラップ40上の切込み41を差込用切込み41と呼ぶ。上面部16につながる差込みフラップ40の差込用切込み41に背面部12の上端の差込み係合片30が，下面部17につながる差込みフラップ40の差込用切込み41に背面部12の下端の差込み係合片30が差し込まれる。なお，図１には折り曲げられる前の差込みフラップ40が示されており，差込み係合片30（背面部12）と結合されるときには，差込みフラップ40は折り曲げられて上下逆向きの姿勢となることに注意されたい。
【００２２】
背面部12の上下端部の差込み係合片30は，背面部12の左右方向のほぼ中央に位置しており，背面部12の上下端部の一部を切欠き，かつ切込み線（スリット）を入れることで形成される。差込み係合片30は外方に突出する形態の概略三角形の頭部30ａと，頭部30ａにつながる短い首部30ｂとを持つ。首部30ｂの左右縁部31は，頭部30ａ（背面部12の端部）に向かうにしたがって幅広になるように斜めに短くのびている。
【００２３】
さらに差込み係合片30の首部30ｂには横向きにスリット32が入れられている。スリット32の両端は首部30ｂの左右縁部に近い位置にまで達している。首部30ｂに入れられたスリット32を，以下，弱部形成スリット32と呼ぶ。
【００２４】
差込みフラップ40に形成された差込用切込み41も，差込みフラップ40の左右方向のほぼ中央に位置している。差込用切込み41のほぼ中央は差込みフラップ40の先端に向けてわずかに膨らむように湾曲しており，この湾曲によって形成される膨らみ部分を，以下，押込み部42と呼ぶ。差込用切込み41の長さ（両端の距離）は上述した差込み係合片30の幅（頭部30ａの最大幅）よりもわずかに長い。
【００２５】
差込みフラップ40には，一端が差込用切込み41につながり，他端が差込みフラップ40の端部に向けて途中までのびかつ互いに近づくように次第に幅狭に傾斜している一対のスリット43が間隔をあけて形成されている。後述するように，この差込みフラップ40に形成された一対のスリット43（一対のスリット43によって形成される縁部）に，上述した差込み係合片30の首部30ｂの左右縁部31が係合する。差込みフラップ40に形成された一対のスリット43を，以下，被係合縁部43と呼ぶ。一対の被係合縁部43の間隔は差込用切込み41につながる箇所が最も広い。この最も間隔が広い箇所の一対の被係合縁部43間の幅は，上述した首部30ｂの最大幅（頭部30ａと首部30ｂとの境界の箇所の左右縁部31の間隔）と同寸またはそれよりもわずかに広い。
【００２６】
差込みフラップ40にはまた一対の被係合縁部43の幅狭の他端同士を結ぶようにしてミシン目44が入れられている。ミシン目44，一対の被係合縁部43および差込用切込み41によって囲まれる台形状範囲を，以下，口あけパネル45と呼ぶ。
【００２７】
口あけパネル45はミシン目44において差込みフラップ40につなげておいもよいし，ミシン目44において差込みフラップ40から切り離してもよい。差込みフラップ40から切り離されると，口あけパネル45の範囲には概略台形状の口（孔）があく。
【００２８】
図１に示すシート１Ａを用いて図２に示す折箱１Ｂを組立てる工程を説明する。はじめに接着剤Ｎが塗布されたのりしろ部15を右側面部14の内面に貼り合わせて起函することによって，のりしろ部15，背面部12，左側面部13，正面部11および右側面部14がそれらの隣接するものの間で直角に折り曲げられ，上下が開口した角筒状の胴部が形成される。
【００２９】
上面または下面が閉鎖される。上面を閉鎖する工程を説明すると，左右のフラップ21を内側に直角に折り曲げ，次に上面部16につながる差込みフラップ40を内側に折り曲げ，さらに正面部11につながる上面部16を内側に折り曲げる。差込みフラップ40は，角筒状胴部の内側，すなわち背面部12の内側に差し込む。
【００３０】
差込みフラップ40を角筒状胴部の内側に差し込む途中，口あけパネル45を内方に斜めに押し込み，背面部12の上端部の差込み係合片30を，差込用切込み41から差込みフラップ40の内側に差し込む。差込み係合片30は角筒状胴部の内側にわずかに斜めに入り込んでいく。差込み係合片30を差込用切込み41に差し込むときに押込み部42を上から軽く押すと，差込み係合片30をスムーズに差込用切込み41に差し込むことができる。これによって角筒状胴部の上面が閉鎖される。角筒状胴部の開口している下面から内容物を入れた後，下面についても上面と同様にして閉鎖する。折箱１Ｂが完成する。
【００３１】
図５は折箱１Ｂの上端部を折箱１Ｂの内側から見た拡大斜視図である。図５では口あけパネル45の図示が省略されている。
【００３２】
差込みフラップ40の差込用切込み41から折箱１Ｂ内に差し込まれた差込み係合片30は，その首部30ｂが内側に向けて斜めになり，首部30ｂの左右縁部31が，差込みフラップ40の一対の被係合縁部43の間に挟まれる。折箱１Ｂの内側に差し込まれた差込みフラップ40は引き出すことができず，一旦上下面を閉じると，無理に折箱１Ｂを壊さない限り，折箱１Ｂの上下面をあけることはできない。折箱１Ｂの開封には上下面以外の面部が用いられる。たとえば正面部11から左右側面部13，14にかけて，または正面部11，左右側面部13，14，さらに背面部12にかけて（全周にわたって），横向きにジッパー部（図示略）が形成される。ジッパー部が裂かれることで折箱１Ｂは開封される。
【００３３】
図５を参照して，差込みフラップ40が折箱１Ｂから抜け出る方向に移動させられると，差込みフラップ40と差込み係合片30とは互いに離れる向きに移動する。差込み係合片30の首部30ｂの左右縁部31が差込みフラップ40に形成された一対の被係合縁部43に係合する。ここで，首部30ｂの左右縁部31および差込みフラップ40の一対の被係合縁部43はいずれも斜めに形成されており，差込み係合片30および差込みフラップ40が互いに離れる向きに動かされると，首部30ｂの幅広の箇所が差込みフラップ40の一対の被係合縁部43の幅狭の箇所に向かう。このため，差込みフラップ40を折箱１Ｂから抜け出る方向に引き出そうとすると，移動後すぐに首部30ｂの左右縁部31が差込みフラップ40の被係合縁部43に係合する。差込みフラップ40の遊び（動かすことができる範囲）をほとんどなくすことができる。
【００３４】
差込みフラップ40を折箱１Ｂから抜け出る方向に強い力で引き出すと，差込み係合片30に弱部形成スリット32が形成されているので，差込み係合片30は弱部形成スリット32において折箱１Ｂ（背面部12）から切り離される（ちぎれる）。折箱１Ｂが不正に開封された根拠を残すことができ，不正に開封されたことを確認することができる。
【００３５】
差込み係合片30を差込用切込み41に差込み，差込み係合片30を備える面部と差込用切込み41を備える面部を結合させる構造（結合構造）は，折箱のみならず，他の構造体においても適用することができる。
【００３６】
図６は円筒体の組み立て用シート２Ａの展開図である。図７は図６に示すシート２Ａから組み立てられた円筒体２Ｂを示している。シート２Ａは弧状に湾曲する上縁と下縁を備え，上縁の長さの方が下縁の長さよりも長い。シート２Ａを湾曲させて一端部と他端部とを重ね合わせると，上部の径が大きく，下にいくほど径が小さくなる円筒体２Ｂが形づけられる。
【００３７】
シート２Ａの一端部に差込み係合片30が，他端部に差込用切込み41がそれぞれ形成されている。接着剤を用いることなく，シート２Ａの一端部と他端部とを重ね合わせた状態にとどめることができ，円筒体２Ｂの形状を保持することができる。
【符号の説明】
【００３８】
１Ａ  折箱のブランク
１Ｂ  折箱
２Ａ  円筒体のブランク
２Ｂ  円筒体
11  正面部
12  背面部
13  左側面部
14  右側面部
16  上面部
17  下面部
30  差込み係合片
30ａ  頭部
30ｂ  首部
31  左右縁部
32  弱部形成スリット
40  差込みフラップ
41  差込用切込み
43  被係合縁部
【図１】
2019034742.tif 000003
【図２】
2019034742.tif 000004
【図３】
2019034742.tif 000005
【図４】
2019034742.tif 000006
【図５】
2019034742.tif 000007
【図６】
2019034742.tif 000008
【図７】
2019034742.tif 000009
【手続補正書】
【提出日】平成29年11月9日(2017.11.9)
【手続補正１】
【補正対象書類名】特許請求の範囲
【補正対象項目名】全文
【補正方法】変更
【補正の内容】
【特許請求の範囲】
【請求項１】
第１および第２のシート面部を一部が重なる状態で互いに結合させる構造であって，
第１のシート面部の端部に，頭部（30ａ）と，上記頭部（30ａ）に連続し，頭部（30ａ）よりも幅狭の首部（30ｂ）を持つ差込み係合片（30）が形成されており，
第２のシート面部の端部の近傍に，上記差込み係合片（30）がその頭部（30ａ）から差し込まれる切込み（41）が形成されており，かつ上記切込み（41）に連続して，上記切込み（41）よりも第２のシート面部の端部がわに，第１，第２の２つのシート面部が互いに離される向きに動かされたときに，上記差込み係合片（30）の首部（30ｂ）の左右縁部（31）が係合する一対の被係合縁部（43）が形成されており，
上記一対の被係合縁部（43）が上記第２のシート面部の端部に向かうにしたがって幅狭に形成され，かつ上記首部（30ｂ）が上記頭部（30ａ）に向かうにしたがって幅広に形成されている，
結合構造。
【請求項２】
上記第２のシート面部に，上記切込み（41）の一部に沿って上記切込み（41）につながる口（45）があけられており，上記口（45）の両側縁が上記一対の被係合縁部（43）である，
請求項１に記載の結合構造。
【請求項３】
上記首部の左右縁部を結ぶ向きに，上記首部の左右縁部に近い箇所までスリット（32）が入れられている，
請求項１または２に記載の結合構造。
【請求項４】
上面および下面の少なくともいずれか一方に，開口を閉じるときに箱内に差し込まれる差込みフラップ（40）を備える折箱であって，
上記差込みフラップ（40）が箱内に差し込まれたときに重なり合う面部の端部に，頭部（30ａ）と，上記頭部（30ａ）に連続し，頭部（30ａ）よりも幅狭の首部（30ｂ）を持つ差込み係合片（30）が形成されており，
上記差込みフラップ（40）の端部の近傍に，上記差込み係合片（30）がその頭部（30ａ）から差し込まれる切込み（41）が形成されており，かつ上記切込み（41）に連続して，上記切込み（41）よりも差込みフラップ（40）の端部がわに，上記差込みフラップ（40）が引き出される向きに動かされたときに，上記差込み係合片（30）の首部（30ｂ）の左右縁部（31）に係合する一対の被係合縁部（43）が形成されており，
上記一対の被係合縁部（43）が上記差込みフラップの端部に向かうにしたがって幅狭に形成され，かつ上記首部（30ｂ）が上記頭部（30ａ）に向かうにしたがって幅広に形成されている，
折箱。
【手続補正書】
【提出日】平成30年10月18日(2018.10.18)
【手続補正１】
【補正対象書類名】特許請求の範囲
【補正対象項目名】全文
【補正方法】変更
【補正の内容】
【特許請求の範囲】
【請求項１】
第１および第２のシート面部を一部が重なる状態で互いに結合させる構造であって，
第１のシート面部の端部に，頭部（30ａ）と，上記頭部（30ａ）に連続し，頭部（30ａ）よりも幅狭の首部（30ｂ）を持つ差込み係合片（30）が形成されており，
第２のシート面部の端部の近傍に，
上記差込み係合片（30）がその頭部（30ａ）から差し込まれる切込み（41）と，
一端が上記切込み（41）に連続し，他端が上記切込み（41）よりも第２のシート面部の端部がわにのびる一対の被係合縁部（43）と，
上記一対の被係合縁部（43）の他端同士を結ぶミシン目（44）と，が形成され，
上記切込み（41），一対の被係合縁部（43）およびミシン目（44）によって囲まれる台形状口あけパネル（45），または上記台形状口あけパネル（45）が切り取られることで形成される台形状口が上記第２のシート面部上に規定されており，
上記一対の被係合縁部（43）が上記第２のシート面部の端部に向かうにしたがって途中で広くなることなく次第に幅狭に形成され，かつ上記首部（30ｂ）の左右縁部（31）が上記頭部（30ａ）に向かうにしたがって途中で狭くなることなく次第に幅広に形成されており，
上記台形状口あけパネル（45）または台形状口の斜辺を規定する上記一対の被係合縁部（43）の最大間隔が上記首部（30ｂ）の左右縁部（31）の最大間隔よりもわずかに広く，
第１，第２の２つのシート面部が互いに離される向きに動かされたときに，上記差込み係合片（30）の首部（30ｂ）の左右縁部（31）が上記一対の被係合縁部（43）に係合する，
結合構造。
【請求項２】
上記第２のシート面部に，上記切込み（41）の一部に沿って上記切込み（41）につながる上記台形状口があけられており，上記台形状口の両側縁が上記一対の被係合縁部（43）である，
請求項１に記載の結合構造。
【請求項３】
上記首部の左右縁部を結ぶ向きに，上記首部の左右縁部に近い箇所までスリット（32）が入れられている，
請求項１または２に記載の結合構造。
【請求項４】
上面および下面の少なくともいずれか一方に，開口を閉じるときに箱内に差し込まれる差込みフラップ（40）を備える折箱であって，
上記差込みフラップ（40）が箱内に差し込まれたときに重なり合う面部の端部に，頭部（30ａ）と，上記頭部（30ａ）に連続し，頭部（30ａ）よりも幅狭の首部（30ｂ）を持つ差込み係合片（30）が形成されており，
上記差込みフラップ（40）の端部の近傍に，
上記差込み係合片（30）がその頭部（30ａ）から差し込まれる切込み（41）と，
一端が上記切込み（41）に連続し，他端が上記切込み（41）よりも差込みフラップ（40）の端部がわにのびる一対の被係合縁部（43）と，
上記一対の被係合縁部（43）の他端同士を結ぶミシン目（44）と，が形成され，
上記切込み（41），一対の被係合縁部（43）およびミシン目（44）によって囲まれる台形状口あけパネル（45）または上記台形状口あけパネル（45）が切り取られることで形成される台形状口が上記差込みフラップ（40）上に規定されており，
上記一対の被係合縁部（43）が上記差込みフラップの端部に向かうにしたがって途中で広くなることなく次第に幅狭に形成され，かつ上記首部（30ｂ）の左右縁部（31）が上記頭部（30ａ）に向かうにしたがって途中で狭くなることなく次第に幅広に形成されており，
上記台形状口あけパネル（45）または台形状口の斜辺を規定する上記一対の被係合縁部（43）の最大間隔が上記首部（30ｂ）の左右縁部（31）の最大間隔よりもわずかに広く，
上記差込みフラップ（40）が引き出される向きに動かされたときに，上記差込み係合片（30）の首部（30ｂ）の左右縁部（31）が上記一対の被係合縁部（43）に係合する，
折箱。